Podtech/llm-jp-corpus-v4-ja_patent huggingface dataset:
(57)【要約】【課題】  既設の水栓柱に意匠的美観を具現する水栓柱装飾用ケーシングを提供する。【解決手段】  既設の水栓柱を被覆して美観を具現する水栓柱装飾用ケーシングであって、装飾用ケーシング本体１は任意の外形意匠を形成したコンクリート、プラスチック、木あるいは金属によりなり、前記水栓柱３に嵌挿する内部空間２と、前記水栓柱３に設けられている蛇口４を貫通するための縦長のスリット５と、前記蛇口４の直下で前記装飾用ケーシング本体の１下部に水跳ね防止部材７を設けた水受け部６とを備えた。【選択図】        図２
2007009613.tif 000002
【特許請求の範囲】
【請求項１】
既設の水栓柱を被覆して美観を具現する水栓柱装飾用ケーシングであって、装飾用ケーシング本体は任意の外形意匠を形成したコンクリート、プラスチック、木あるいは金属によりなり、前記水栓柱に嵌挿する内部空間と、前記水栓柱に設けられている蛇口を貫通するための縦長のスリットと、前記蛇口の直下で前記装飾用ケーシング本体の下部に水跳ね防止部材を設けた水受け部とを備えたことを特徴とする水栓柱装飾用ケーシング。
【発明の詳細な説明】
【技術分野】
【０００１】
本発明は、住宅の庭、車庫、公園等の屋外に設置されている既設の水栓柱を被覆して美観を具現する水栓柱装飾用ケーシングに関するものである。
【背景技術】
【０００２】
従来、例えば住宅の庭、車庫、公園等に水柱栓を立設し、屋外でも水を利用できるようにしたものが公知である。
【０００３】
上記従来公知の水柱栓は、御影石模様や木目模様を施したものもあるが、いずれも内部に水道管を埋設したコンクリート製の角柱体あるいは円柱体である。
【０００４】
従って、御影石や木目の模様だけの角柱体あるいは円柱体では外形の意匠的な美観は欠如している。まして、無模様の角柱体あるいは円柱体の水栓柱では殺風景で全く美観を呈していない。また、水栓柱に設けられている蛇口から流下した水が跳ねて周囲を水で汚損する不具合を有している。
【特許文献１】特開２００５−１２０７１７公報
【発明の開示】
【発明が解決しようとする課題】
【０００５】
本発明は、このような点に鑑みて、既設の水栓柱に意匠的美観を具現する水栓柱装飾用ケーシングを提供することを目的とする。
【課題を解決するための手段】
【０００６】
本発明は、この目的を達成するために、請求項１に記載の通り、既設の水栓柱を被覆して美観を具現する水栓柱装飾用ケーシングであって、装飾用ケーシング本体は任意の外形意匠を形成したコンクリート、プラスチック、木あるいは金属によりなり、前記水栓柱に嵌挿する内部空間と、前記水栓柱に設けられている蛇口を貫通するための縦長のスリットと、前記蛇口の直下で前記装飾用ケーシング本体の下部に水跳ね防止部材を設けた水受け部とを備えたことを特徴とするものである。
【発明の効果】
【０００７】
本発明によれば、既設の水栓柱は水跳ね防止機能を備え、潤いの豊かさを創造する意匠的美観を有するお洒落な屋外水栓柱とすることができる効果を有している。
【発明を実施するための最良の形態】
【０００８】
以下本発明を実施するための最良の形態について図面に基づいて説明する。図１及び図２において、１はコンクリート、プラスチック、木あるいは金属製の装飾用ケーシング本体であり、図では上部が擬宝珠状の意匠であるが、任意の外形意匠を形成し、各種の塗色仕上げを施している。
【０００９】
この装飾用ケーシング本体１は、既設の水栓柱３に嵌挿する内部空間２と、前記水栓柱３に設けられている蛇口４を貫通するためのスリット５と、前記蛇口４の直下で前記装飾用ケーシング本体１の下部に水跳ね防止部材７を設けた水受け部６とを備えている。
【００１０】
前記蛇口４を貫通するためのスリット穴５は、縦方向の長穴とし、水受け部６の水跳ね防止部材７は網が適当である。
【００１１】
前記装飾用ケーシング本体１の全高は１００ｃｍ位、幅１５〜２０ｃｍ位、奥行１０ｃｍ位、スリット５の幅３ｃｍ位、スリット５の長さ４０ｃｍ位、内部空間２は既設の水栓柱３を余裕を持って被覆可能とする寸法が適当である。
【００１２】
本発明は上記の通りの構造であるから、既設の水栓柱３から蛇口４のハンドル４ａを取り外し、装飾用ケーシング本体１の内部空間２を既設の水栓柱３に差し込み、接着剤等で水栓柱３と接着してセットし、蛇口４をスリット５から装飾用ケーシング本体１の外部に臨ませて蛇口４にハンドル４ａを取り付けることで施工が完了し、専門工を必要とすることなく、施主自身で簡単に施工することができ、既設の水栓柱２が水跳ね防止機能を備えた潤いの豊かさを創造する意匠的美観を有するお洒落な外観の屋外水栓柱とすることができ、庭や公園の美観を一層高揚する。
【００１３】
既設の水栓柱３の全高は１００ｃｍ位を最大長にして、長短様々なサイズが存在する。従って、水栓柱３の全高サイズに伴い蛇口４の取り付け位置は様々である。そこで、本発明では、蛇口４を貫通するためのスリット穴５を縦方向の長穴とすることにより様々な蛇口４の取り付け位置に対応する汎用性を持たせているものである。
【００１４】
また、蛇口の直下で前記装飾用ケーシング本体１の下部に網等の水跳ね防止部材７を設けた水受け部６を備えていることにより、蛇口４から流下した水が跳ねて周囲を水で汚損するような従来の不具合をしている。
【００１５】
さらに、装飾用ケーシング本体１で被覆することにより、意匠的美観を具現すると共に、装飾用ケーシング本体１自体での断熱効果や既設の水栓柱３と装飾用ケーシング本体１の内部空間２との隙間による断熱効果により凍結事故を防止する利点を有しており、寒冷地等における既設の水栓柱３では相乗的な効果を奏する。
【図面の簡単な説明】
【００１６】
【図１】本発明の斜視図。
【図２】本発明の縦断側図。
【符号の説明】
【００１７】
１    装飾用ケーシング本体
２    内部空間
３    水栓柱
４    蛇口
４ａ  ハンドル
５    スリット
６    水受け部
７    水跳ね防止部材
【図１】
2007009613.tif 000003
【図２】
2007009613.tif 000004
【手続補正書】
【提出日】平成17年7月6日(2005.7.6)
【手続補正１】
【補正対象書類名】明細書
【補正対象項目名】００１４
【補正方法】変更
【補正の内容】
【００１４】
また、蛇口の直下で前記装飾用ケーシング本体１の下部に網等の水跳ね防止部材７を設けた水受け部６を備えていることにより、蛇口４から流下した水が跳ねて周囲を水で汚損するような従来の不具合を解消している。
(57)【要約】      （修正有）【課題】剣先ボルトを折版屋根に叩き込んだときに起ころうとする雄螺子のねじ山の損傷を防止し、雌螺子の螺合装着を迅速かつ円滑に行い、作業効率を高めるボルトを提供する。【解決手段】折版屋根を取付けるフレーム本体の山部に雄螺子１を突設するタイトフレームにおいて、雄螺子のねじ部２口径より小径に設けた突出部３を等間隔をおいて垂直面部４を周囲に形成した多角柱形状にし、この突出部の上面に多角斜面を形成した尖端部５を設けて成る。【選択図】図２
2007009638.tif 000002
【特許請求の範囲】
【請求項１】
折版屋根を取付けるフレーム本体の山部に雄螺子を突設するタイトフレームにおいて、雄螺子のねじ部口径より小径に設けた突出部を等間隔をおいて垂直面部を周囲に形成した多角柱形状にし、この突出部の上面に多角斜面を形成した尖端部を設けて成ることを特徴とするタイトフレーム用剣先ボルト。
【請求項２】
折版屋根を取付けるフレーム本体の山部に雄螺子を突設するタイトフレームにおいて、雄螺子のねじ部口径より小径に設けた突出部を等間隔をおいて垂直面部を周囲に形成した円柱形状にし、この突出部の上面に多角斜面を形成した尖端部を設けて成ることを特徴とする剣先ボルト。
【請求項３】
折版屋根を取付けるフレーム本体の山部に雄螺子を突設するタイトフレームにおいて、雄螺子のねじ部口径より小径で多角柱状に成る尖端部を有する突出部の基端周囲にねじ部口径より内側に位置して複数の突起を設けて成ることを特徴とするタイトフレーム用剣先ボルト。
【請求項４】
折版屋根を取付けるフレーム本体の山部に雄螺子を突設するタイトフレームにおいて、雄螺子のねじ部口径より小径で円柱状に成る尖端部を有する突出部の基端周囲にねじ部口径より内側に位置して複数の突起を設けて成ることを特徴とするタイトフレーム用剣先ボルト。
【発明の詳細な説明】
【技術分野】
【０００１】
本発明は、タイトフレーム用の剣先ボルトに関するものである。
【背景技術】
【０００２】
従来、タイトフレームとしては、フレーム本体の山部に剣先ボルトといわれる雄螺子を突設したものを使用して折版屋根を取付けるときは、梁等にタイトフレームを固定した後、前記雄螺子の先端尖鋭部で折版屋根を打抜き、突出した雄螺子に止水部材を介して雌螺子を締付けて取付ける方法がとられていた。
【０００３】
しかし、先端尖鋭部を有する雄螺子を折版屋根に叩き込んだとき、殴打時の衝撃によって雄螺子のねじ山が損傷するため、雄螺子を螺合しようとしても円滑に締め付けができないことが起っていた。
【０００４】
従来、特開平８−１７０４０７号、実登第２５８５６７６号、特許第２８３５５１５号、特開２０００−２９１６１８号のごとき技術が開示されているが、殴打時の衝撃によって起こる雄螺子のねじ山の損傷を防止することは困難な構造であった。
【０００５】
【特許文献１】特開平８−１７０４０７号公報
【特許文献２】実登第２５８５６７６号公報
【特許文献３】特許第２８３５５１５号公報
【特許文献４】特開２０００−２９１６１８号公報
【発明の開示】
【発明が解決しようとする課題】
【０００６】
そこで、本発明は、剣先ボルトを折版屋根に叩き込んだときに起ろうとする雄螺子のねじ山の損傷を防止し、これにより雌螺子の装着を迅速かつ円滑に行い、作業性を高めることを目的とするものである。
【課題を解決するための手段】
【０００７】
本発明は、折版屋根を取付けるフレーム本体の山部に雄螺子を突設するタイトフレームにおいて、雄螺子のねじ部口径より小径に設けた突出部を等間隔をおいて垂直面部を周囲に形成した多角柱形状にし、前記突出部の上面に多角斜面を形成した尖端部を設けて成るものである。
【発明の効果】
【０００８】
本発明に係る構成の剣先ボルトを使用すれば、折版屋根面は雄螺子の突出部上面の尖端部によってまず穿孔され、続いて突出部周面の多角面部によってさらに開孔されることになるから、その内側にあるねじ部はスムースに開口部を通過することができる。したがって、ねじ部は穿孔された開口部の周面に接触することがないから、損傷されるおそれはない。
【０００９】
これによって、雄螺子のねじ部に螺合する雌螺子は支障なく螺合し装着することができ、折版屋根面への緊締作業の効率を著しく向上することができる。
【発明を実施するための最良の形態】
【００１０】
折版屋根を取付ける際に、梁等にタイトフレームを固定した後、雄螺子の突出部の尖端部で折版屋根面を打抜いてまず穿孔し、続いて突出部の垂直角面部でさらに押し拡げてより大きく開口し、しかる後に雄螺子のねじ部を挿通するようになる。
【００１１】
したがって、雄螺子のねじ部は、折版屋根面に穿孔された開口部をその周囲の抵抗に合うことなくスムースに挿通するから、損傷を受けることがない。
【００１２】
しかる後に、雄螺子のねじ部に雌螺子を螺締すればよい。
【実施例１】
【００１３】
１は雄螺子で、この雄螺子のねじ部２の長さは適当に成る。
【００１４】
３は前記ねじ部２の上面部にねじ部口径より小径に設ける突出部で、この突出部は横断面多角柱形状又は円柱形状に成る。
【００１５】
図１の実施例は、断面四角面形状に成る突出部３の各角部を小巾に削去した垂直面部４・・・を設け、似八角形に成る多角柱形状の突出部を形成している。
【００１６】
また、突出部３を断面円柱形状に設けても、その周面には等間隔をおいて小巾に削去した垂直面部を設けた突出部に形成してもよい。
【００１７】
５は前記突出部３の上面部に設ける多角斜面から成る尖端部である。
【実施例２】
【００１８】
図４の実施例では、前記ねじ部２の突出部３の上面部に円錐形に成る尖端部６を設けたもので、７・・・は突出部３の基端周囲に設けた上辺面が円弧状に成る突起で、この突起は前記ねじ部口径より内側部に位置している。
【図面の簡単な説明】
【００１９】
【図１】本発明の一例を示す正面図
【図２】要部の斜視図
【図３】要部の半截正面図
【図４】他例の正面図
【図５】図４の平面図
【図６】要部の半截正面図
【図７】従来物の正面図
【符号の説明】
【００２０】
１                    雄螺子
２                    ねじ部
３                    突出部
４・・・              垂直面部
５                    尖端部
６                    尖端部
７・・・              突起
【図１】
2007009638.tif 000003
【図２】
2007009638.tif 000004
【図３】
2007009638.tif 000005
【図４】
2007009638.tif 000006
【図５】
2007009638.tif 000007
【図６】
2007009638.tif 000008
【図７】
2007009638.tif 000009
(57)【要約】【課題】食べ物にかけても食べ物の表面から流れ落ちず、時間が経つと液体調味料が食品表面からの染込みを防ぐ調味料を提供する。【解決手段】液体調味料中に全量に対し１重量％以上の濃度になるように寒天を加えて加熱溶解し、その液を冷やして固め、フードカッターやチョッパーを使って一かけらの大きさが５ｍｍ以下の砕片ゲルになるように成形した。【特許請求の範囲】
【請求項１】
液体及びペースト状調味料を、寒天を使うことでゲル化させた後、一かけらの大きさが５ｍｍ以下になるように破砕成形したゲル状調味料。
【発明の詳細な説明】
【技術分野】
【０００１】  この発明は、寒天を使って液体調味料をゲル化させた後、一かけらの大きさが５ｍｍ以下に破砕成形したゲル状調味料に関するものである。
【背景技術】
【０００２】  従来、液体調味料には醤油、ポン酢醤油、ソース、ケチャップ、ドレッシング等があり、さらにチューブ状の容器から搾り出すゼリー状のドレッシングもあった。
【発明が解決しようとする課題】
【０００３】  この発明は、従来の液体調味料では、食べ物にかけても食べ物の表面から流れ落ちてしまったり、少し時間が経つと液体調味料が表面から染込み、調味料がかかっていないように見えたり、味が物足りなくなり再び液体調味料をかけ、味付けが濃くなることを防ぐ調味料を開発しようとするものである。
【課題を解決しようとする手段】
【０００４】  液体調味料に寒天を加えて溶かし、その液を冷やしてゲル化させた後、フードカッターやチョッパーを使って砕き、一かけらの大きさが５ｍｍ以下の破砕ゲルを成形する。
本発明は、このような構成のゲル状調味料である。
【発明を実施するための最良の状態】
【０００５】  ケチャップ、ソース、ポン酢醤油、醤油、だし汁などの液体調味料に寒天を加えて加熱溶解し、それを冷却して寒天ゲルを作る。そのゲルをフードカッターやチョッパーまたは裁断機等で一かけらの大きさが５ｍｍ以下の破砕ゲルにする。加える寒天の量は、溶媒となる調味料によってゲル化に必要な量が違うので、実施例に記す寒天量は成形時にゲルから離水しない最低量である。
以下、本発明の実施例について説明する。なお、本発明は下記実施例に記載した構成に限定されるものではなく、本発明の趣旨を逸脱しない限り食感などの好みによって配合を変更することができる。
【実施例１】
【０００６】  ポン酢醤油に１．５重量％になる量の寒天を加えて加熱溶解し、冷却固化して出来たポン酢ゲルをフードカッターやチョッパーを使って一かけらの大きさが５ｍｍ以下の破砕ゲルを成形した。
このようにして出来たポン酢ゲルを焼き魚に乗せて食すると魚肉中にポン酢醤油が染み込まないので、少量であってもポン酢醤油の味が十分に味わえる。
【実施例２】
【０００７】  醤油に１．５重量％になる量の寒天を加えて加熱溶解し、冷却固化して出来た醤油ゲルをフードカッターやチョッパーを使って一かけらの大きさが５ｍｍ以下の破砕ゲルを成形した。この方法で作成した醤油ゲルをちりめんじゃこに掛けた場合、醤油が魚肉に染み込まず、ちりめんじゃこの白色と醤油の黒色が映えて見た目が良く、醤油を掛け過ぎることなくしっかりとした醤油の味がつく。
【実施例３】
【０００８】  ケチャップに１重量％になる量の寒天を加えて加熱溶解し、冷却固化して出来たケチャップゲルをフードカッターやチョッパーを使って一かけらの大きさがが５ｍｍ以下の破砕ゲルを成形した。
この方法で作ったゲルを茹で上がったスパゲッティにまぶすと麺への絡みが良く、ペースト状のケチャップを絡めた場合とは違った食感がある。
【発明の効果】
【０００９】  本発明はこのような構成であるから、食べ物の表面に乗せ易く、食べ物の内部に染み込むこともない。またチューブから搾り出すゼリー状の調味料よりもゲル片が小さいため、調味料が乗っている食べ物を箸で摘まむなどするときに流れ落ちることもない。
砕片ゲルの大きさを５ｍｍ以下にすることで、寒天ゲルが味付けをする対象の食べ物の表面から流れ落ちることなく、まんべんなく食べ物の上に散らしたり和えることができる。
さらに加える寒天の濃度を変えることで好みの食感にすることができ、増粘多糖類である寒天の食物繊維も摂取できる。
また、寒天ゲルの作用により、液体のように垂れたり染み込んだりしないので、食事中にゲル状調味料が衣服に飛散しても拭き取りやすく、また食器が汚れ難いので普段の食事はもとよりアウトドアでの食事の後片付けを手早く行うことができる。
その他、ゲル状調味料をマヨネーズ等の別のペースト状調味料に混ぜた場合、ゲル状調味料の粒々の食感と完全に互いの味が混ざらない故の独特の味を楽しむことができる。
(57)【要約】【課題】寒天を使って粒状に成形した塩調味料を提供する。【解決手段】全量当たりの食塩含有量が１５重量％以上で、全長が５ｍｍ以下の寒天ゲルとしたことを特徴とする。【特許請求の範囲】
【請求項１】
寒天水溶液中に、全量中に１５重量％以上含まれる量の食塩を加え加熱溶解後に冷却固化させて寒天ゲルを作り、全長が５ｍｍ以下である粒状に成形した寒天塩調味料。
【請求項２】
加熱溶解した寒天水溶液を冷却固化させて作った寒天ゲルを、全長が５ｍｍ以下の粒状になるように成形し、その粒状ゲルに最終的に全量当たり１５重量％以上となる量の食塩を混合した寒天塩調味料。
【請求項３】
〔請求項１〕及び〔請求項２〕を併用して食塩の合計が最終的に全量当たり１５重量％以上含まれるようにした寒天塩調味料。
【請求項４】
〔請求項１〕〔請求項２〕〔請求項３〕に旨味調味料や香辛料や着色料を加えた寒天塩調味料。
【発明の詳細な説明】
【技術分野】
【０００１】  この発明は、寒天を使って全長が５ｍｍ以下のゲルを作り、食塩が全量中に１５重量％以上含まれる寒天ゲル塩味調味料に関するものである。
【背景技術】
【０００２】  従来、塩調味料には塩化ナトリウムの結晶や岩塩を砕いたものの他に液塩があった。
【発明の開示】
【発明が解決しようとする課題】
【０００３】  この発明は、従来の食塩の結晶や液塩では、食べ物にふり掛けても食べ物の表面から落ちてしまったり、また食べ物の上にふり掛けたとき塩が掛かっている見た目の量が少なく見えて必要以上に多くふり掛けて塩辛くなったり、少し時間が経つと食塩が表面から染込み、塩味が物足りなくなって再び塩をふり掛け、結果的に食塩を余分に摂ることを防ぐ塩調味料を開発しようとするものである。
【課題を解決しようとする手段】
【０００４】  加熱溶解した適当な濃度の寒天水溶液に、全量に対して１５重量％以上になる量の食塩を加えて溶かし、その液を冷却固化した後、全長が５ｍｍ以下の寒天ゲルになるように成形する。
あるいは、加熱溶解した適当な濃度の寒天水溶液を冷却固化した後、全長が５ｍｍ以下の寒天ゲルになるように成形し、そこに全量中の含有量が最終的に１５重量％以上になる量の食塩を混ぜ合わせる。
または、任意の量の食塩を溶かした寒天液を冷却固化した後、全長が５ｍｍ以下の寒天ゲルになるように成形したものに食塩を混ぜ、最終的な食塩含有量が全量に対して１５重量％以上にする。
本発明は、このような構成の寒天塩調味料である。
【発明を実施するための最良の状態】
【０００５】  寒天は、テングサやオゴノリ等の紅藻類から抽出される多糖類である。また、寒天ゲルのゲル化点は３０〜５０℃、融点は９０℃前後である。本発明で使用する寒天はテングサやオゴノリ等で製造されたものであれば、粉上、棒状、フレーク状など、その形状如何に関わらず使用することができる。
本発明では、常温（２０〜２５℃）で保存した場合、微生物の発生を抑える食塩濃度が全量に対して１５重量％以上であり、その食塩濃度を含有した場合に離水を全量に対して５重量％未満に抑えられる寒天濃度は、全量に対して１．５重量％以上必要であった。その上、フードカッターや押し出し成形機を使って加工し易く、食品の表面にまぶす用途に耐える硬さをもち、また口の中で程好く砕ける寒天濃度は、全量に対して２重量％以上が適当であった。
フードカッターやチョッパーを使わずに粒状の寒天ゲルを作る場合は、適当な大きさの寒天ゲルを、トコロテンを作るように押し出し成形機に通して棒状又は角状のゲルにした後、裁断することにより裁断幅を５ｍｍ以下の長さで切っていくことによって最長辺が５ｍｍ以下の多角柱状や円柱状の透明感のある粒を作ることができた。
以下、本発明の実施例について説明する。
【実施例１】
【０００６】  寒天濃度が３重量％濃度の寒天水溶液に最終製品中の食品濃度が２０重量％以上になるように食塩を加えて加熱溶解し、それを冷却して寒天ゲルを作った。その寒天ゲルをフードカッターやチョッパーあるいは押し出し成形機等を使って全長５ｍｍ以下のゲルになるように成形した。
【実施例２】
【０００７】  または、寒天濃度が３重量％濃度の寒天水溶液を冷却固化して作った寒天ゲルをフードカッターやチョッパー等あるいは押し出し成形機等を使って全長５ｍｍ以下ゲルになるように成形し、それに最終的な食塩含有量が全量に対して２０重量％になる量の食塩を混ぜた。
【実施例３】
【０００８】  あるいは、食塩濃度が１５重量％で寒天濃度が３重量％の水溶液を冷却固化し、そのゲルをフードカッターやチョッパー等あるいは押し出し成形機等を使って全長が５ｍｍ以下のゲルになるように成形し、さらにそれに食塩を加えて混ぜ、最終的な食塩含有量が全量に対して２０重量％以上になるようにした。
【実施例４】
【０００９】  寒天濃度が３重量％濃度の寒天水溶液に、全量に対して食塩を２０重量％、グルタミン酸Ｎａを１重量％、核酸を０．１重量％、グリシンを３重量％になる量を加えて加熱溶解し、それを冷却して寒天ゲルを作った。その寒天ゲルをフードカッターやチョッパーあるいは押し出し成形機等を使って全長５ｍｍ以下のゲルになるように成形した。【００１１】    〔実施例１〕〔実施例２〕〔実施例３〕〔実施例４〕に示した方法で作成した食塩含有寒天ゲルは、いずれも一ヶ月間常温保管した後も離水率が全量に対して５重量％以下であった。そして、これらの寒天ゲルは食品の表面から滑り落ちることなく、また、まんべんなく食べ物の上に散らすことができた。
また、〔実施例２〕〔実施例３〕に示した方法で作成した食塩含有寒天ゲルは、後から添加した食塩が飽和食塩濃度までは寒天ゲルに全て吸収されて、食塩の結晶特有のジャリジャリとした食感がなく、従来の食塩とは違う食感の調味料ができた。
なお、本発明は、上記実施例に記載した構成に限定されるものではなく、その趣旨を逸脱しない限りその構成を好みに合わせて変更することができる。
【発明の効果】
【００１２】  本発明はこのような構成であるから、食品の表面に乗せ易く、塩そのものを乗せたときのように食べ物の水分に溶けて染み込まないため、沢山振りかけているように見えても塩分含量そのものは少なく、塩味がするわりには塩分摂取量を控えることができる。そして、キラキラして見た目も良く、食欲がわき、寒天ゲルそのものの食感も好ましい。
さらに、原料に増粘多糖類である寒天を用いているので低カロリーで食物繊維も摂取できる。
(57)【要約】【課題】従来の餡に対して、新鮮な野菜や・果物を添加することにより、素材そのものが本来もつ味や香り、色彩をそのまま生かしながらさらに味わいやすくなり、嗜好性を高めるとともに、それぞれに含まれる栄養素・各種ビタミン、ミネラルを手軽に楽しみながら摂取することのできる、野菜・果物の餡を提供する。【解決手段】本来の野菜・果物の特性を生かすように、原料には加工品となった野菜・果物は使用せず、素材本来の持ち味を引き立たせることの出来る白餡に、味や香り、色を損なわないように施した野菜・果物を混ぜ合わせ、野菜・果物の餡を調整した。【特許請求の範囲】
【請求項１】
白餡と糖質を主成分とした餡に、野菜のピューレと一部塩分を混ぜ合わせ調整したことを特徴とする、天然の野菜が入った餡子
【請求項２】
白餡と糖質を主成分とした餡に、果物の果実、果汁及び皮の一部を混ぜ合わせ調整したことを特徴とする、天然の果物が入った餡子
【発明の詳細な説明】
【技術分野】
【０００１】本発明は、野菜の入った餡、及び果物の入った餡に関するものである。
【背景技術】
【０００２】従来の餡は限られた数種の豆類、小豆、手亡豆などを原料に砂糖を加え作られたものが主流である。その中で、近年一部野菜や果物の風味をもつ餡も見うけられるようになってきた。
【発明の開示】
【発明が解決しようとする課題】
【０００３】しかしながらこれらの餡は、粉末に施された野菜や果物の加工品を原料に、香料・着色料などの食品添加物を用いて、ほのかな風味を出しているものであり、野菜・果物が本来持つ味や香り、色、栄養素などを再現できるものではなかった。
【課題を解決するための手段】
【０００４】このような点を解決する手段として、原料は加工された野菜・果物ではなく、新鮮なうちに必要に応じて加熱したのち粉砕しピューレ状にした野菜や、新鮮な果物から搾取した果汁などを、素材本来の持ち味を引き立たせることの出来る白餡と混ぜ合わせることにより、野菜・果物の本来の特性を損なうことなく、安全に且つ楽しみながら摂取することが出来るようになる。
【発明の効果】
【０００５】上記の手段は、それぞれの野菜・果物が本来持つ味や香り、栄養素を別の形状の食品として再現しやすくなるとともに、餡と併せることでさらに味わいやすく、手軽に摂取することが出来るので、幅広い層での嗜好性の高まりも期待し得るものであり、野菜や果物に対するイメージが広がることも可能である。【０００６】また、加工された原料ではなく、新鮮な野菜・果物をそのまま使用するので、それらが持つ栄養素、各種ビタミン、ミネラル、植物繊維などを手軽で確実に摂取しやすくなるため、健康増進を配慮した栄養補助食品としての用途も有するものとなり得る。【０００７】さらに、加工されない新鮮な野菜・果物をそのまま使用することにより、数多くの野菜・果物の種類を幅広く活用することが可能となり、その季節ごとに出回る旬の野菜や果物、また、各地方におけるさまざまな特産品に至るまで、バリエーションも豊富で、幅広く楽しむことのできる餡を提供することが出来る。
【発明を実施するための最良の形態】
【０００８】餡に併せる野菜・果物は限定することなく、さまざまな種類の原料を使っていくが、主に、根菜類・豆類・葉類・果実類が使われる。原料はそれぞれの特徴に配慮しながら作業工程を変え、素材そのままの持ち味が最も生かされた状態の餡を作ることの出来る形態とする。【０００９】野菜のピューレは、新鮮な野菜を用い、素材によって必要性があるもは加熱処理したのち磨り潰し、得たものを使用する。加熱する時間や磨り潰す割合はそれぞれの原料によって最適なものとする。【００１０】果物に於いて、果汁は味・口当たりに不用と思われる種や内皮を取り除き搾取したもの、また果肉も味・口当たりに不用と思われる種や内皮を取り除いたのち、ほどよく粉砕したものを使用する。【００１１】原料の皮を使用する際は、きれいに洗浄した後、粉砕・摩り下ろしたものを使用する。【００１２】実施例１（人参の餡の製造）
原料は下記の割合で用意した。
白    餡        →    １
人参ペースト    →    １
自然塩          →    微量【００１３】白餡１に対して、人参をピューレ状にしたものを同量合わせ、そこに微量の塩を加え調整し、白餡と人参のピューレを混ぜ合わせ、熱を加え水分をとばしながら形成しやすい粘度になるまで練り続け、人参の餡をつくった。【００１４】実施例２（夏みかんの餡の製造）
原料は下記の割合で用意した。
白    餡        →    １．５
果肉と果汁      →    １【００１５】夏みかんの果肉・果汁１に対し、１．５倍量の白餡と合わせ、熱を加え水分をとばしながら形成しやすい粘度のなるまで練り続けて、夏みかんの餡をつくった。
(57)【要約】【課題】      従来屋外飼育犬を洗う場合、屋外に給湯等の設備がなかった。また、風呂場を利用しようとすると、洗い場が狭かったり、風呂場を汚されていた。その上、飼い主の労力を必要とした。【解決手段】  本発明は、犬小屋の中に自動洗犬機を組み込むことにより、新たなスペースを確保する必要がない装置である。犬は犬小屋出入口である前面パネル１に頭を外に出して固定される。シャンプー、シャワー用ノズル１２とドライヤー吹出口１３が設置されている移動アーチ５が床ガイドレール３に沿って側面ガイドロッド４に取付られている駆動モータ６の働きによって前面パネル１と裏面パネル２の間を移動する。洗犬はシャンプーをノズルから噴出することにより行う。洗犬終了後ドライヤー吹出口１３からの熱風により乾燥させる。【選択図】    図１
2007014318.tif 000002
【特許請求の範囲】
【請求項１】
自動洗犬機を組み込んだ犬小屋
【発明の詳細な説明】
【技術分野】
【０００１】    本発明は、自動で犬を洗い、乾燥させる装置を犬小屋に組み込んだシステムに関する。
【背景技術】
【０００２】    従来、屋外飼育の犬を洗うとき、屋外で洗うか若しくは犬を風呂場につれていって行っていた。しかし、屋外では給湯設備がなく、冷たい水で洗うしかなかった。また、風呂場では中型犬以上を洗うのに場所が狭く且つ風呂場を汚されていた。その上、飼い主自身も汚れ、労力も必要とした。
【発明の開示】
【発明が開示しようとする課題】
【０００３】    場所をとらず、屋外で手軽に犬を洗う装置を提供することにある。
【課題を解決するための手段】
【０００４】    本発明は、犬小屋の中にシャンプー、温水シャワー、ドライヤー設備を伴う自動洗犬機を組み込んだ装置である。
【発明の効果】
【０００５】    自動洗犬機を組み込んだ犬小屋のため、従来占有していた犬小屋のスペースを利用することができるので、新たなスペースを必要としない。また、自動洗犬機には、シャンプー、温水シャワー、ドライヤー設備を備えているため、飼主が安心して労力を掛けることなく、快適に犬を洗うことができる。
【発明を実施するための最良の形態】
【０００６】    図３は、犬小屋概観図である。図１は、Ｂ−Ｂ矢視図であり犬小屋内部を側面から見た図である。図２は、Ａ−Ａ矢視図であり犬小屋内部を前面から見た図である。犬小屋出入口には、前面パネル１があり、犬はここより出入りする。また、洗犬時、犬はこの前面パネル１より首を外に出した状態で前面パネル１に固定される。洗犬用移動アーチ５は床ガイドレール３および側面ガイドロッド４に沿って裏面パネル２と前面パネル１の間を側面ガイドロッド４に取付られた駆動モータ６の運転により移動する。移動アーチ５には、シャンプー液および温水を吹き出すノズル１２が設置されている。このシャンプー、シャワー用ノズル１２は犬の皮膚まで洗浄水が届くよう、犬の毛並みと逆方向にノズル１２が向けられ設置されている。シャンプー液および温水は裏面パネル２の後ろに設置されている温水およびシャンプー容器８から伸縮配管１１を経由して移動アーチ５に設置されているシャンプー、シャワー用ノズル１２より噴出される。温水およびシャワー容器８には温度制御をするためのヒータおよび調節計が設置されている。伸縮配管１１は配管ガイド１０に沿って伸縮する。洗犬終了時は、ドライヤーユニット７より移動アーチ５に設置されているドライヤー吹出口１３から温風を吹出し乾燥する。
【図面の簡単な説明】
【０００７】
【図１】    犬小屋のＢ−Ｂ矢視図である
【図２】    犬小屋のＡ−Ａ矢視図である
【図３】    犬小屋概観図である
【符号の説明】
【０００８】    １    前面パネル
２    裏面パネル
３    床ガイドレール
４    側面ガイドロッド
５    移動アーチ
６    駆動モータ
７    ドライヤーユニット
８    温水およびシャンプー容器
９    ポンプユニット
１０    配管ガイド
１１    伸縮配管
１２    ノズル
１３    ドライヤー吹出口
【図１】
2007014318.tif 000003
【図２】
2007014318.tif 000004
【図３】
2007014318.tif 000005
(57)【要約】【課題】花（造花）を使って平面でしか作ることができなかったものを解消するために、木やプラスチック・金属（ハリガネ）などのものを網目状にし、それをさまざまな形に模り立体のものを提供する。【解決手段】木やプラスチック・金属（ハリガネ）などのものを網目状にし、それを動物などさまざまな形に模し網目状になっているので穴が開いているところに葉を落とした花（茎つき）または造花をさしていく。【選択図】  図１
2007014713.tif 000002
【特許請求の範囲】
【請求項１】
木やプラスチック・金属（ハリガネ）などのものを網目状にしそれで動物などのさまざま
な形を模す。網目状にしたためそこにできる穴に葉を落とした花（茎つき）または造花をさして模した動物の形にする。
【発明の詳細な説明】
【技術分野】
【０００１】本発明は、花（造花）で立体の造形を作るためにその基になる形（網状で木やプラスチック、金属などのもの）を作り、そこに花（造花）をさし形を作るものである。
【背景技術】
【０００２】花（造花）で立体的な造形の動物や車その他さまざまな形のものがなかった。
【特許文献】
【０００３】なし
【発明の開示】
【発明が解決しようとする課題】
【０００４】花による立体的な造形というものがなく、これまでは平面のものしか形づくることができなかったため。本発明は、この課題を解消するためになされたものである。
【課題を解決するための手段】
【０００５】木やプラスチック・金属などのものを使い網目状にし、それを動物などの形に模る。網目状になっているため穴が開いているところに葉を落とした花（茎つき）をさして動物の形にしていく。網目状のものは軽くなるべく細いもの。花（造花）がとれないように接着剤で固定する。
【発明の効果】
【０００６】平面でしか花で形作ることができなかったものが動物やロゴなどさまざまな立体の形を作ることができるようになる。これにより見た目がさらに際立ったものになる。
【実践例１】
【０００７】写真参照
【図面の簡単な説明】
【０００８】
【図１】本発明の正面図である。
【図２】本発明の上から見た図である。
【図３】本発明の部分的な拡大図である。
【符号の説明】
【０００９】１動物の形
２ハリガネ（木・プラスチック・その他の金属など）
３花（造花）
４茎
【図１】
2007014713.tif 000003
【図３】
2007014713.tif 000004
【手続補正書】
【提出日】平成17年9月12日(2005.9.12)
【手続補正２】
【補正対象書類名】図面
【補正対象項目名】全図
【補正方法】変更
【補正の内容】
【図１】
2007014713.tif 000005
【図２】
2007014713.tif 000006
【図３】
2007014713.tif 000007
(57)【要約】【課題】運動量が多く  興味がわく  手指の運道具の提供。【解決手段】一対の多面体で  一方の各面に異なる窪みを設け、他方の各面には、それに嵌り込む出っ張りを設けた物で  片手の掌  又は、両手で  窪みに出っ張り部を嵌め込む手指の運道具を製作する。【選択図】図１
2007014716.tif 000002
【特許請求の範囲】
【請求項１】
一対の多面体で  一方の各面に異なる窪みを設け、他方の各面には、それに嵌り込む出っ張りを設け  片手の掌  又は、両手で移動させ  窪みに出っ張り部を嵌め込む物で  出っ張りと窪みは、一対一で対応する構造を特徴とする手指の運道具
【発明の詳細な説明】
【技術分野】
【０００１】本発明は、片手の掌  又は、両手で一対の多面体を移動させ、嵌め込む事で  手指の運動を行う運道具に関するものである。
【背景技術】
【０００２】手指の運動器具としては、古くから胡桃が知られている。これは、掌で数個を  こすり合わすことで  手指の運動を行うものである。【０００３】この運動方法は、末梢神経に刺激を与えることで  毛細血管の血流を促進することにより  老化防止の方法として知られている。
【発明の開示】
【発明が解決しようとする課題】
【０００４】ところで、従来の胡桃では、動きが単純なために手指の運動量も少なく  又、直ぐに飽きてしまう。又、片手で使用する物で、手の不自由な方が、両手指の運動を  する事が出来ない。【０００５】本発明は、動きが複雑で  運動量も多く  片手  又は、両手でも使用でき  飽きの来ない手指の運動器具を  提供するものである。
【課題を解決するための手段】
【０００６】本発明は、上記課題を解決するために下記の技術的手段を採用した。【０００７】本発明は、一対の多面体で  一方の各面に異なる窪みを設け、他方の各面には、それにはまり込む出っ張りを設けた物で  片手の掌と指先  又は、両手で移動させ  窪みに出っ張り部を嵌め込む構造を特徴とする
【発明の効果】
【０００８】本発明によれば、一方の窪みに他方の出っ張り部を  嵌め込む為には、片手の掌と指先  又は、両手で  窪みと出っ張りの形状を確認しながら  移動させなければならはい。そうする事により  胡桃と比較しても運動量は多くなる。また、指先に神経を集中させることで  末梢神経を刺激し  毛細血管の血流も増えて  老化防止の効果は多くなる。又、手の不自由な方が使用すれば、リハビリ効果もある。さらに  勘合する為にかかる時間を  短くしようとする興味も  生じて来るので  直ぐには飽きずに  継続することが出来る。
【発明を実施するための最良の形態】
【０００９】本発明の実施の形態を  立方体を例に説明すると、図１は、本発明の片手での実施例を示す。【００１０】図２は本発明を実施した指先の運道具で  窪みを設けた立方体１と  出っ張りを設けた立方体２を勘合させた立体図である。また、大きさは、例えば、各辺の長さが、約２０ｍｍ程度で  手の中で容易に移動さすことの出来る大きさが、望ましいが、両手で使用する目的であれば、片手で持てる大きさでよい。【００１１】図３は、窪みを設けた立方体で  各面に３，４，５の様な形の異なる窪みを設けている。また  各窪みは、それに勘合する出っ張りよりも若干、大きく出来ている。【００１２】図４は、出っ張りを設けた立方体で  各面に６，７，８の様に  図３の各窪みと一対で  しっくり嵌まり込む形状であり  他の窪みには、嵌まり込まない構造である。【００１３】材質は、木、金属、樹脂等で  本発明の形状が保たれれば、特に問わないが、樹脂の場合は、容易に加工がきる。【００１４】各立方体には、窪みと出っ張りの両方を備えることも出来る。また、窪みと出っ張りを設けることが出来る多面体であれば、本発明を実施する事が可能である。
【産業上の利用可能性】
【００１５】本発明は、健康器具を製造、販売する産業分野で利用することが出来る。
【図面の簡単な説明】
【図１】本発明の片手での実施例を示す図である。
【図２】本発明の勘合後の立体図である。
【図３】窪みを設けた部品の立体図である。
【図４】出っ張りを設けた部品の立体図である。
【符号の説明】
１    窪みを設けた部品。
２    出っ張りを設けた部品。
３    窪みの一部分。
４    窪みの一部分。
５    窪みの一部分。
６    出っ張りの一部分。
７    出っ張りの一部分。
８    出っ張りの一部分。
【図１】
2007014716.tif 000003
【図２】
2007014716.tif 000004
【図３】
2007014716.tif 000005
【図４】
2007014716.tif 000006
(57)【要約】【課題】ブックエンドのずれを防止すること。【解決手段】一対の向かい合うブックエンドの側板の底板近くに設けた穴に、紐や帯条の布を通して、互いのブックエンドを連結し、紐や帯条の布の長さを調整し、ブックエンド間の幅を変更し、固定出来る構成とした。【選択図】図１
2007014718.tif 000002
【特許請求の範囲】
【請求項１】
載置面に平行な底板２と、これに垂直な側板３を形成した、一対のブックエンド１を備え、該側板の底板近くに、紐５を通す複数の穴４を設け、向かい合うブックエンドを紐で連結し、一対のブックエンド間の幅Ｗを無段階に調整出来る、構成とした事を特徴とするブックエンド。
【請求項２】
載置面に平行な底板２２と、これに垂直な側板２３を形成した、一対のブックエンドを備え、該側板の底板近くに、帯を通す長穴２５を設け、向かい合うブックエンドを長穴を通した帯で連結し、一対のブックエンド間の幅Ｗを無段階に調整出来る、構成とした事を特徴とするブックエンド。
【請求項３】
請求項１に記載するブックエンドであって、調整紐を無段階の長さで固定する機構を備えた事を特徴とするブックエンド。
【請求項４】
請求項２に記載するブックエンドであって、調整帯を無段階の長さで固定する機構を備えた事を特徴とするブックエンド。
【発明の詳細な説明】
【技術分野】
【０００１】  本発明はブックエンドの改良に関するものである。
【背景技術】
【０００２】  従来のブックエンドは、ブックエンドのずれを防止するため、載置面側に底板を設けて長くしたり、底板の裏に滑り止めを設けたものがある。又、図４に示すブックエンド３１のように、底板３２に凹凸を設け、互いの凹凸を嵌め合わせた構造としたものがある。（例えば特許文献１参照。）
【特許文献１】特開平３−２１４７９６公報
【発明の開示】
【発明が解決しようとする課題】
【０００３】  上記従来のブックエンドは、載置側底板を長くしたり、底板に凹凸  を設け互いの凹凸を嵌め合わせる構造のため、ブックエンドの互いの幅Ｗが底板の長さにより制限され、本棚や書棚の幅により、使用出来ない不具合がある。【０００４】  本発明は本棚や書棚の幅に関係なく使用出来て、本が倒れたり移動する事のない、ブックエンドを提供するものである。
【課題を解決するための手段】
【０００５】  前記課題を解決するための、本発明にかかわる第１の手段は、載置面に平行な底板と、これに垂直な側板を形成した、一対のブックエンドを備え、該側板の底板近くに、紐を通す複数の穴を設け、向かい合うブックエンドを紐で連結し、一対のブックエンド間の幅を無段階に調整出来る、構成とした。【０００６】  又、第２の手段は、載置面に平行な底板と、これに垂直な側板を形成した、一対のブックエンドを備え、該側板の底板近くに、帯を通す長穴を設け、向かい合うブックエンドを長穴を通した帯で連結し、一対のブックエンド間の幅を無段階に調整出来る、構成とした事を特徴とするブックエンド。【０００７】  又、第３の手段は、第１の手段に加えて、調整紐を無段階の長さで固定する機構を備えた。【０００８】  又、第４の手段は、第２の手段に加えて、調整帯を無段階の長さで固定する機構を備えた。
【発明の効果】
【０００９】  前記したように、本発明のブックエンドは向かい合う一対のブックエンドを紐や帯で連結、その長さを調整して、ブックエンド間の幅を決める構成とした事で、ブックエンドの幅に影響される事なく本棚や書棚に使用出来る。又、紐や帯をまとめる、巻き取る事で場所を取らないで使用出来る。【００１０】  向かい合う一対のブックエンドを、紐や帯で連結固定し、その長さを調整して幅を決めるので、本の倒れや移動を確実に防止出来る。
【発明を実施するための最良の形態】
【実施例１】
【００１１】  以下、本発明の実施の形態の第１例を図１、図２に基づいて説明する。１は本発明になる、ブックエンドの斜視全体図である。側板３の底板２近くの両端に穴４を設け、紐を通して向かい合うブックエンドを連結する。紐の両端を固定具１１に設けた穴９、１０に通す。【００１２】  図２の１１は紐の固定具である。紐５の両端をクランプ７に設けた穴９とホルダー６に設けた穴１０に通し、スプリング８でクランプを押し上げ固定する構造である。【００１３】  次に、このように構成したブックエンドの、作用について説明する。本を向かい合う一対のブックエンドの間に張られた２本の紐の上に置く。次に紐固定具のクランプ７を押すとスプリング８を押し込み、紐のクランプが緩み、紐は自由に移動可能となる。紐の端を引き、向かい合うブックエンドの幅Ｗを、本の数に合わせ調整し、調整した幅Ｗの固定出来る位置まで固定具を寄せて、クランプ７を押す力を解放する。解放されたスプリング８の反力により紐を固定する。【００１４】  以上の操作により、一対のブックエンド間に置かれた本は、側板３の間に２本の紐で固定されて移動することはない。又、側板３にかかる倒れる力は、底板２で受けるので、本が倒れる事もない。【００１５】  本の増加による対応は、クランプ７を押し紐の固定を解放し、側板間の幅Ｗを広げる事で行う。
【実施例２】
【００１６】  以下、本発明の第２の実施の形態を図３に基づいて説明する。２１は本発明になる、ブックエンドの斜視全体図である。側板２３の底板２２近くに、帯条の布２６を通す長穴２５を設け、帯条の布を通して向かい合う一対のブックエンドを連結する。長穴を通した帯条の布の端は、ブックエンドの両サイド、側板と平行に形成した受け板２４と、側板の間に置く巻き取り具で巻き取る。巻き取り具は側板と巻き取り具の輪形鍔の外形２８の間にウエッチクランプ２９を押し込み固定する。【００１７】  次に、このように構成した、ブックエンドの作用について説明する。本を向かい合う一対のブックエンドの間に張られた、帯条の布の上に置く。次に、巻き取り具を固定しているウエッジクランプを外し、巻き取り具を回し、向かい合うブックエンドの幅を本の数に合わせて調整する。次に、前に外したウエッジクランプを側板と巻き取り具  輪形鍔の間に押し込み、巻き取り具を固定する。【００１８】  以上の操作により、ブックエンド間に置かれた本は、側板２３の間に帯条の布で固定され、移動することはない。又、側板２３にかかる倒れる力は、底板２２で受けるので、本が倒れる事もない。
【図面の簡単な説明】
【００１９】
【図１】  本発明の第１の実施形態を示す、ブックエンドの斜視全体図。
【図２】  固定具のＡ−Ａ断面図。
【図３】  本発明の第２の実施形態を示す、ブックエンドの斜視全体図。
【図４】  ブックエンドの斜視全体図。
【符号の説明】
【００２０】１、２１、３１、  ブックエンド
２、２２、３２、  底板
３、２３、３３、  側板
４、９、１０  穴
５  紐
６  ホルダー
７  クランプ
８  スプリング
１１  固定具
２４  受け板
２５  長穴
２６  帯条の布
２７  巻き取り具
２８  巻き取り具の輪形鍔
２９  ウエッジクランプ
【図１】
2007014718.tif 000003
【図２】
2007014718.tif 000004
【図３】
2007014718.tif 000005
【図４】
2007014718.tif 000006
(57)【要約】【課題】  脱いだズボン、スカートなどを手軽に掛けられるズボン掛け付きハンガーを提供する。【解決手段】    ハンガーに蝶番を設け下部が開くようにし、ズボンを挟むための挾持片を設け、挾持片の下にフックを設け、フックにベルトを引っ掛けることを特徴とする、ズボン掛。【選択図】  図１
2007014710.tif 000002
【特許請求の範囲】
【請求項１】
ハンガーに蝶番を設け下部が開くようにし、ズボンを挟むための挾持片を設け、挾持片の下にフックを設け、フックにベルトを引っ掛けることを特徴とする、ズボン掛け。
【発明の詳細な説明】
【技術分野】
【０００１】  本発明は、着用していたズボンやスカートなどを脱いで、ハンガーやズボン掛けに掛けるとき、手軽に掛けられるようにしたハンガーに関するものである。
【背景技術】
【０００２】  従来、脱いだズボンやスカートを掛けるとき、ハンガー、ズボン掛け、帽子掛けに掛けていた。
【発明の開示】
【発明が解決しようとする課題】
【０００３】  そのために、次のような問題点があった。
ズボン掛けの場合クリップ式などが多数で、ズボンの裾を揃えないと皺になったり、片手でクリップを開いて、もう片手でズボンを抑えるのは煩わしかった。
帽子掛けに、掛ける場合ズボンの背中部を掛けたり、ベルト通しの穴に入れたりする。
この場合ズボンの形が崩れたり、ベルト通しの穴が綻んだりした。
本発明は以上の問題点を解決するために成されたものである。
【課題を解決するための手段】
【０００４】  同型のハンガー状のものを２本平行に置き、上部にバネ付きの蝶番を設けハンガーをつなぐ。これは洗濯ばさみと同じ構造、摘みを挟むとハンガー下部が開き放すと閉じるようにする。【０００５】  本体の中間部は、ズボンを挟めるよう挾持片を設ける。下部に向かい合わせになるようにフックを設ける。以上を特徴とするズボン掛けである。
【発明の効果】
【０００６】  本発明は、摘みを挟み本体の下部を開いてベルトの付いた状態のズボン、スカートなどを挟み込むようにして、フックをベルトに引っ掛ける。ベルトの付いていないズボン、スカートなどは、中間部の挾持片に挟む。したがって形が崩れにくく、本体全体が開くので容易に掛けられ、複数のベルト通しの穴にズボンの加重がかかるのでベルト通しの穴が綻びにくい。
【発明を実施するための最良の形態】
【０００７】  以下、本発明の実施の形態を説明する。
（イ）合成樹脂等を主材とし、ハンガー状の物（１ａ）と（１ｂ）を設ける。
（ロ）ハンガー状の物（１ａ）と（１ｂ）の中央部に洗濯ばさみと同じような動きをする蝶番（４）、摘み（５）、バネ（３）を設けて自動的に閉じるようにする。
（ハ）蝶番（４）のところから、ハンガー状の物（１ａ）と（１ｂ）を吊るす吊り部（２）を設ける。
（ニ）挾持片（７）とフック（８）を設けるため支軸（６）をハンガー状の物（１ａ）と（１ｂ）にそれぞれ設ける。
（ホ）支軸（６）の中間部に挾持片（７）を設ける。
（ヘ）支軸（６）の先端にＵ字形のフック（８ａ）と（８ｃ）、フック（８ｂ）と（８ｄ）がそれぞれ向かい合うように設ける。フックをＵ字形にする理由は、ベルト（９）を掛けたとき、ベルト（９）が縦の状態になり、それに伴いズボンの胴部（エ）も自然な縦型になり形が崩れにくいからである。
（ト）フック（８）の隙間（ア）は、ベルト（９）がスムーズに出入りし、掛けた時縦の状態になるようにする。
（チ）フック（８）は、ベルト（９）が入り易いようにそれぞれ開口部をラッパ状（ウ）に開く。
（リ）本体（Ｑ）を閉じたとき向かい合ったフック同士、（８ａ）と（８ｃ）、（８ｂ）と（８ｄ）が当たらないように距離（イ）をとる。距離をとる理由はフック（８）にベルト（９）を掛けたときフック（８）がズボン（１０）に当たり打痕になる可能性があるからである。
本発明は以上の構成から成るズボン掛けである。
本発明を使用するときは、ベルト（９）の付いた状態のズボン（１０）の前の腹部分（カ）、例えば、スラックスならファスナーの上部を折り目に合わせて揃え、摘み（５）を挟み本体（Ｑ）の下部を開きながら、ズボンの胴部（エ）を挟み込むようにしてベルト（９）にフック（８）を引っ掛ける。フックがベルトに掛かったらズボンを放し、摘みを挟んでいる手の力を抜く。するとバネの力で本体が閉じる。本発明に掛かっていたズボンやスカートを外す時は、ズボンやスカートの腰部（オ）を持ち、少し持ち上げ（キ）フックから抜けたら、摘み（５）を挟んで本体の下部を開き外す。
ベルトの付いていないズボンやスカートの場合、挾持片（７）に胴部（エ）を挟む。
本体（Ｑ）の下部が広く開くのでフックに引っ掛けやすく、ベルトに掛けるのでズボン（１０）の形が崩れにくい。また、ベルトに掛けることによって、ズボンの加重が複数のベルト通しの穴に分散されるので、ベルト通しの穴が綻びにくい。
このようにして、ズボンやスカートなどを掛けることができるので手軽である。
【図面の簡単な説明】
【０００８】
【図１】本発明の本体を開いたときの斜視図
【図２】本発明の斜視図
【図３】本発明の本体を開いたときの側面図
【図４】本発明を使用したとき、ベルトの状態の説明図
【図５】本発明にベルトの付いてないズボンを挟んだ説明図
【図６】本発明に掛かっているズボンを外す説明図
【符号の説明】
【０００９】  １ａ  ハンガー状の物
１ｂ  ハンガー状の物
２    吊り部
３    バネ
４    蝶番
５    摘み
６    支軸
７    挾持片
８ａ  フック
８ｂ  フック
８ｃ  フック
８ｄ  フック
９    ベルト
１０    ズボン
ア      隙間
イ      距離
ウ      ラッパ状
エ      胴部
オ      腰部
カ      腹部
キ      少し持ち上げ
Ｑ      本体
【図１】
2007014710.tif 000003
【図２】
2007014710.tif 000004
【図３】
2007014710.tif 000005
【図４】
2007014710.tif 000006
【図５】
2007014710.tif 000007
【図６】
2007014710.tif 000008